(57)【要約】【課題】  ＳＩＰ仕様のインターホンシステムに対して同様にＳＩＰで動作するＩＰ電話機器が接続されても、インターホン親機に対する呼び出し／通話機能が制限されないインターホンシステムを提供する。【解決手段】  ＩＰ電話機が通信ネットワークを介して接続され、子機ＣＰＵ１６は呼出操作を受けてＳＩＰに基づく呼出信号を生成して親機２、及びＩＰ電話機３に送信する。親機２に対する呼出信号には少なくとも呼び出しの優先度情報を含む特定の情報を附加して送信し、親機ＣＰＵ２５は呼出信号に附加された特定の情報を読み取って、所定の動作を実施する。【選択図】  図１
2014230256.tif 000002
【特許請求の範囲】
【請求項１】
呼び出し／通話機能を備えた複数のインターホン子機と通話機能を備えたインターホン親機とＩＰ電話機とが通信ネットワークを介して接続されたインターホンシステムであって、
前記インターホン子機は、呼出操作を受けてＳＩＰに基づく呼出信号を生成して前記インターホン親機及び前記ＩＰ電話機に送信する呼出制御部を有し、
前記呼出制御部は、前記インターホン親機へ送信する呼出信号に対しては、少なくとも呼び出しの優先度情報を含む特定の情報を附加して送信する一方、
前記インターホン親機は、前記呼出信号に附加された前記特定の情報を読み取って、所定の動作を実施する呼出信号受信部を有することを特徴とするインターホンシステム。
【請求項２】
前記ＩＰ電話機の通話路制御を行なうＩＰ−ＰＢＸが前記通信ネットワークを介して接続され、
前記インターホン子機と前記ＩＰ電話機との間の呼び出し／通話は、前記ＩＰ−ＰＢＸを介して実施されることを特徴とする請求項１記載のインターホンシステム。
【請求項３】
前記インターホン子機から呼び出しを受けた前記インターホン親機及び前記ＩＰ電話機の何れかから応答信号が返信されると、
前記呼出制御部は、応答信号のない他の呼出先に対して呼出終了信号を送信することを特徴とする請求項１又は２記載のインターホンシステム。
【発明の詳細な説明】
【技術分野】
【０００１】
本発明は、インターホン子機の呼出先としてインターホン親機に加えてＩＰ電話が接続されたインターホンシステムに関する。
【背景技術】
【０００２】
インターホン子機からの呼出先としてインターホン親機に加えてＩＰ電話を備えたインターホンシステムがある。例えば、特許文献１ではインターホン子機、インターホン親機が管理サーバを介してＬＡＮ接続され、ＩＰ電話が外部ＩＰネットワークを介して管理サーバに接続されている。そして、インターホン子機の呼出操作による呼出信号はＳＩＰに基づいて実施され、呼出先で応答操作されると通信中状態となり、ＲＴＰ（Real-time Transport Protocol）により音声信号の送受が実施された。
【先行技術文献】
【特許文献】
【０００３】
【特許文献１】特開２００３−３３３１９９号公報
【発明の概要】
【発明が解決しようとする課題】
【０００４】
公共施設や学校等では複数の出入口を備えた施設が多く、その場合複数のインターホン子機やインターホン親機が設置される。また、一般住宅においても、高齢者への対応やセキュリティの向上を図って玄関に加えてトイレや浴室等にインターホン子機を設置する場合がある。
このように複数のインターホン機器が設置されるインターホンシステムは、通信ネットワークを利用したシステムが拡張性に優れているし遠方からでも応答できるため利用が進んでいる。そして、このようなインターホンシステムでは上記特許文献１のように、通信ネットワークを介して通信が可能なＩＰ電話機をインターホン親機の代わりとして接続することが可能となる。
【０００５】
しかしながら、ＩＰ電話機の場合、従来使用されていたインターホン機器独特の付属情報を利用できないため、ＩＰ電話機を加えた上記従来の構成では呼出信号に付属情報を加えず単純な呼出信号としていた。この付属情報としては、例えば他のインターホン子機から呼び出し／通話が成されていても優先して呼出動作が実施される優先呼出があり、このような機能を引き続き利用できる形態が望まれていた。
【０００６】
そこで、本発明はこのような問題点に鑑み、ＳＩＰ仕様のインターホンシステムに対して同様にＳＩＰで呼び出し／通話を実施できるＩＰ電話機器が接続されても、インターホン親機に対する呼出信号の付属情報が制限されないインターホンシステムを提供することを目的としている。
【課題を解決するための手段】
【０００７】
上記課題を解決する為に、請求項１の発明は、呼び出し／通話機能を備えた複数のインターホン子機と通話機能を備えたインターホン親機とＩＰ電話機とが通信ネットワークを介して接続されたインターホンシステムであって、インターホン子機は、呼出操作を受けてＳＩＰに基づく呼出信号を生成してインターホン親機及びＩＰ電話機に送信する呼出制御部を有し、呼出制御部は、インターホン親機へ送信する呼出信号に対しては、少なくとも呼び出しの優先度情報を含む特定の情報を附加して送信する一方、インターホン親機は、呼出信号に附加された特定の情報を読み取って、所定の動作を実施する呼出信号受信部を有することを特徴とする。
この構成によれば、インターホン親機と同様にＳＩＰに基づく呼出信号で呼び出しできるＩＰ電話機が接続された場合でも、インターホン親機に対する呼出信号には特定の情報を附加できる。よって、呼出先にＩＰ電話機が無い場合と同様に、例えば優先度情報を附加した呼出信号をインターホン親機に対して送信することができ、インターホン特有の機能を維持できる。
【０００８】
請求項２の発明は、請求項１に記載の構成において、ＩＰ電話機の通話路制御を行なうＩＰ−ＰＢＸが通信ネットワークを介して接続され、インターホン子機とＩＰ電話機との間の呼び出し／通話は、ＩＰ−ＰＢＸを介して実施されることを特徴とする。
この構成によれば、ＩＰ−ＰＢＸにおいてプロトコル変換が可能であるため、ＩＰ電話機とＩＰ−ＰＢＸとの間で使用されるプロトコルとインターホン子機が呼び出しのために使用するプロトコルとが異なっても、インターホン子機からＩＰ電話機を呼び出すことが可能となる。そのため、インターホン子機と接続するためのプロトコルをＩＰ電話機が考慮する必要がなく、ＩＰ電話機の選択肢を広げることができる。
尚、ＩＰ−ＰＢＸとは、Intenet Protocol Private Branch eXchangeであり、ＩＰ電話機の回線交換を行う装置及びソフトウェアである。
【０００９】
請求項３の発明は、請求項１又は２記載の構成において、インターホン子機から呼び出しを受けたインターホン親機及びＩＰ電話機の何れかから応答信号が返信されると、
呼出制御部は、応答信号のない他の呼出先に対して呼出終了信号を送信することを特徴
とする。
この構成によれば、応答操作を受けたら他の呼出先に対して呼出終了信号が送信されるため、他のインターホン親機やＩＰ電話機での呼出音が停止する。よって、応答操作されたことを認識できる。
【発明の効果】
【００１０】
本発明によれば、インターホン親機と同様にＳＩＰに基づく呼出信号で呼び出しできるＩＰ電話機が接続された場合でも、インターホン親機に対する呼出信号には特定の情報を附加できるため、呼出先にＩＰ電話機が無い場合と同様に、例えば優先度情報を附加した呼出信号をインターホン親機に対して送信することができ、インターホン特有の機能を維持できる。
【図面の簡単な説明】
【００１１】
【図１】本発明に係るインターホンシステムの一例を示す構成図であり、個々の機器を回路ブロック図で示している。
【図２】インターホンシステムの他の例を示す構成図である。
【発明を実施するための形態】
【００１２】
以下、本発明を具体化した実施の形態を、図面を参照して詳細に説明する。図１は本発明に係るインターホンシステムの一例を示す構成図であり、個々の機器を回路ブロック図で示している。１は呼び出し／通話機能を備えたインターホン子機（以下、単に「子機」と称する。）、２は通話機能を備えたインターホン親機（以下、単に「親機」と称する。）、３はＩＰ電話機、４はＩＰ−ＰＢＸ、５はＬＡＮ或いはインターネット等のＷＡＮで構成される通信ネットワークである。
尚、子機１、親機２、ＩＰ電話機３は何れも複数台接続することができ、ここでは子機１を２台（第１子機１ａ、第２子機１ｂ）、ＩＰ電話機３を２台（第１ＩＰ電話機３ａ、第２ＩＰ電話機３ｂ）接続した構成を示している。
【００１３】
子機１は、居住者を呼び出すための呼出ボタン１１、通話するためのマイク１２及びスピーカ１３、後述する付属情報を記憶する記憶部１５、子機１を制御する子機ＣＰＵ１６、親機２及びＩＰ電話機３と通信するために通信ネットワーク５に接続される子機通信ＩＦ１７等を備えている。
ここで、呼出ボタン１１が操作された際に子機ＣＰＵ１６が生成する呼出信号について説明する。子機ＣＰＵ１６は、親機２に対する呼出信号とＩＰ電話機３に対する呼出信号の双方をＳＩＰにより生成して送信するが、親機２に対する呼出信号には呼出音を指定する呼出音情報、呼び出しの優先順位を指定する優先度情報、呼出元を通知する次呼出情報等の付属情報が附加される。これらの情報は、予め設定されて記憶部１５が保持している。
【００１４】
具体的に、優先度情報とは優先順位を持たせるために呼出信号に附加される設定情報であり、最も優先順位の高い最優先呼出設定、通常の呼び出しを実施する通常呼出設定、緊急度が無く他に呼び出しが発生している場合は呼び出し自体がキャンセルされる低レベル呼出設定等があり、これらの情報が呼出信号に附加されて送信される。
また次呼出情報とは、親機２が通話中或いは呼出中に他の子機１から呼び出しが発生した場合に、その情報を親機２に表示させるための情報で、子機１の設置場所情報や呼出種別情報等で構成される。具体的に、設置場所情報とは子機１の設置場所情報であり玄関やトイレ等の設置場所の情報であり、呼出種別情報とは子機１からの呼び出しであるか、子機１以外の例えばセンサー（図示せず）の動作情報等の種別情報である。
【００１５】
尚、呼出信号はそれ自体にＩＰアドレスから成る発信元情報、親機２に対してはＩＰアドレス、ＩＰ電話機３に対しては電話番号から成る発信先情報を具備し、この情報に加えて親機２に対しては上記付属情報が附加される。一方、ＩＰ電話機３に対しては、発信元情報、発信先情報以外の付属情報はない。
【００１６】
親機２は、呼び出しに対する応答操作や各種設定操作を行う親機操作部２１、通話するためのマイク２２及びスピーカ２３、設置場所情報や呼出元情報等を表示する親機表示部２４、親機２を制御する親機ＣＰＵ２５、子機１と通信するために通信ネットワーク５に接続される親機通信ＩＦ２６等を備えている。
【００１７】
ＩＰ電話機３は、呼び出しに対する応答操作や各種設定操作を行う電話機操作部３１、通話するためのマイク３２及びスピーカ３３、呼出元情報等を表示する電話機表示部３４、ＩＰ電話機３を制御する電話機ＣＰＵ３５、子機１と通信するために通信ネットワーク５に接続される電話機通信ＩＦ３６等を備えている。
【００１８】
ＩＰ−ＰＢＸ４は、子機１からＳＩＰによる呼出信号が送信されたら、対応する呼出先に呼出信号を送信する。尚、ＩＰ−ＰＢＸ４は電話番号／ＩＰアドレス変換テーブル（図示せず）を備えており、子機１から電話番号で指定された呼出先を、ＩＰアドレスに変換して送信する。また、プロトコル変換機能を備えて、子機１からＳＩＰに基づく呼出信号を受けて、接続されているＩＰ電話機３に対応するプロトコルに変換して送信する。
【００１９】
上記の如く構成されたインターホンシステムは次のように動作する。ここでは、第１子機１ａが最優先呼出設定され、第２子機１ｂが通常呼出設定されているとして説明する。
最初に、待受状態にある第１子機１ａ及び第２子機１ｂのいずれかが呼出操作された場合を説明する。今、第１子機１ａの呼出ボタン１１が操作されたとすると、第１子機１ａの子機ＣＰＵ１６により呼出信号が生成されて、親機２及びＩＰ電話３にそれぞれ送信される。
【００２０】
親機２に対しては、上述したように呼出音情報、最優先呼出情報、次呼出情報等の付属情報が付加された呼出信号がＳＩＰにより送信され、ＩＰアドレスにより指定された呼出先（親機）に送信される。
【００２１】
一方、ＩＰ電話機３に対する呼出信号は付属情報がなく、発信元、発信先を指定した単純な呼出信号がＳＩＰプロトコルで送信される。この呼出信号は、発信先が電話番号で指定され、ＩＰ−ＰＢＸ４において電話番号を基にＩＰアドレスが読み出され、指定されたＩＰアドレスのＩＰ電話機３に送信される。ＩＰ−ＰＢＸ４から送信される呼出信号は、ＩＰ−ＰＢＸ４とＩＰ電話機３との間で取り決められたプロトコルにより送信され、ここでは接続された２台のＩＰ電話機３（３ａ，３ｂ）に対して送信される。
こうして、ＩＰ電話機３に対する呼出信号は付属情報がないため、ＩＰ−ＰＢＸ４が付属情報を受信することができない構成であっても、誤動作なく呼び出しを実施できる。
【００２２】
呼出信号を受信した親機２及びＩＰ電話機３は、それぞれのスピーカ２３，３３から呼出音を報音する。尚、親機２は付属情報により子機１から指定された呼出音で鳴動する。
その後、例えば親機２の親機操作部２１が応答操作されると、親機ＣＰＵ２５により応答信号が生成されて呼出元の第１子機１ａに送信される。
親機２からの応答信号を受信した第１子機１ａでは、子機ＣＰＵ１６の制御により親機２との通話路が形成され、通話が可能となる。また同時に、第１子機１ａの子機ＣＰＵ１６は、応答操作されなかったＩＰ電話機３に対して、呼出終了信号を送信する。この信号を受けて、第１ＩＰ電話機３ａ、第２ＩＰ電話機３ｂの双方は、呼出音の鳴動を終了する。
【００２３】
以上、最優先呼出設定された第１子機１ａから呼び出しが成された場合を説明したが、第１子機１ａ及び第２子機１ｂの双方が待受状態にある状態から、通常呼出設定の第２子機１ｂから呼び出しが発生しても、同様の呼出動作を実施する。また、ＩＰ電話機３の電話機操作部３１が最初に応答操作された場合は、電話機ＣＰＵ３５により応答信号が生成されてＩＰ−ＰＢＸ４を介して第１子機１ａへ送信される。この応答信号を受けて親機２の呼出音の鳴動が停止する。
【００２４】
次に、第２子機１ｂによる呼び出しが発生している状態で第１子機１ａの呼び出しが発生した場合を説明する。
第１子機１ａから親機２に送信される呼出信号には付属情報として最優先呼出の情報が附加されているため、直前に通常呼出設定された第２子機１ｂによる呼び出しが発生して親機２において呼出音が鳴動していても、親機ＣＰＵ２５がこの呼び出しを保留として第１子機１ａからの呼出音に切り替える。但し、ＩＰ電話機３が第２子機１ｂからの呼出信号を受けて鳴動している呼出音は変化せず引き続き第２子機１ｂからの呼び出しが継続される。
この結果、親機２が応答操作されると、親機ＣＰＵ２５が第１子機１ａへ応答信号を送信し、第１子機１ａと親機２との間で通話路が形成される。
尚、応答信号を受信した第１子機１ａは、呼出終了信号を他の呼出先に対して送信する。
【００２５】
一方、２台のＩＰ電話機３の何れか（ここでは第１ＩＰ電話機３ａ）が応答操作された場合は、第１ＩＰ電話機３ａの電話機ＣＰＵ３５が応答信号をＩＰ−ＰＢＸ４を介して第２子機１ｂへ送信し、第２子機１ｂと第１ＩＰ電話機３ａとの間で通話路が形成される。
【００２６】
このように、親機２と同様にＳＩＰに基づく呼出信号で呼び出しできるＩＰ電話機３が接続された場合でも、親機２に対する呼出信号には特定の情報を附加するため、呼出先にＩＰ電話機３が無い場合と同様に、例えば優先度情報を附加した呼出信号を親機２に対して送信することができ、インターホン特有の機能を維持できる。
また、ＩＰ−ＰＢＸ４においてプロトコル変換が可能であるため、ＩＰ電話機３とＩＰ−ＰＢＸ４との間で使用されるプロトコルと子機１が呼び出しのために使用するプロトコルとが異なっても、子機１からＩＰ電話機３を呼び出すことが可能となる。そのため、子機１と接続するためのプロトコルをＩＰ電話機３が考慮する必要がなく、ＩＰ電話機３の選択肢を広げることができる。
更に、応答操作を受けたら他の呼出先に対して呼出終了信号が送信されるため、他の親機２やＩＰ電話機３での呼出音が停止する。よって、応答操作されたことを認識できる。
【００２７】
図２はインターホンシステムの他の例を示している。上記図１とはＩＰ−ＰＢＸがない点が相違している。ＩＰ電話機３が子機１に適用されているＳＩＰに対応している機器である場合、ＩＰ−ＰＢＸを介すること無く呼び出し／通話を実施できる。尚、上記図１と共通する構成要素には同一の符号を付与して説明を省略する。
以下、動作を説明する。但し、ここでは第１子機１ａが低レベル呼出設定され、第２子機が通常呼出設定されているとする。
【００２８】
待受状態にある第１子機１ａ及び第２子機１ｂのいずれかが呼出操作された場合は、上記実施形態と同様の動作となるため説明を省略し、ここでは先ず第１子機１ａによる呼び出しが発生している状態で第２子機１ｂの呼び出しが発生した場合を説明する。
尚、ＩＰ電話機３に対する呼び出しは、親機２に対する信号と同様にＩＰアドレスにより呼出先が指定される。そして、上記形態と同様にＩＰ電話機３に対する呼出信号は付属情報がなく、発信元、発信先を有する単純な呼出信号がＳＩＰにより指定された呼出先に送信される。
【００２９】
第２子機１ｂから親機２に送信される呼出信号には、付属情報として通常呼出情報が附加される。そのため、低レベル呼出設定されている第１子機１ａからの呼出信号を受けて呼出音を鳴動している親機２は、親機ＣＰＵ２５の制御により第２子機１ｂの呼び出しに切り替えて呼出音を鳴動させ、第１子機１ａに対してキャンセル信号が送信される。
このキャンセル信号を受信した第１子機１ａは、子機ＣＰＵ１６が呼出信号の送信を停止し、呼出終了信号を出力する。
また、第２子機１ｂが呼出操作される時点で、すでに第１子機１ａと親機２が通話中の場合は、通話路が強制遮断されて第２子機１ｂと通話路が形成される。
【００３０】
尚、第１子機１ａとＩＰ電話機３が通話中の場合は、第２子機１ｂからの呼び出しは保留状態となり、第１子機１ａとの通話路は引き続き継続される。また、子機ＣＰＵ１６から送信された呼出終了信号を受けて、応答操作されなかったＩＰ電話機３、及び親機２は呼出音を停止する。
【００３１】
次に、第２子機１ｂによる呼び出しが発生している状態で第１子機１ａの呼び出しが発生した場合を説明する。
第１子機１ａから親機２に送信される呼出信号には付属情報として低レベル呼出情報が附加されているため、直前に第２子機１ｂによる呼び出しが発生して親機２において呼出音が鳴動している状態では、第１子機１ａからの呼出信号はキャンセルされて第２子機１ｂからの呼び出しが継続される。親機２からキャンセル信号を受信した第１子機１ａは呼出信号の送信を終了する。
【００３２】
ＩＰ電話機３は、第１子機１ａの呼出信号に附加された付属情報は関係ないため、第２子機１ｂからの呼び出しを継続し、結果として親機２と同様の動作となる。また、第２子機１ｂと親機２が通話中の状態で第１子機１ａから呼び出しが発生した場合も、第１子機１ａからの呼び出しが低レベル設定であるため、同様にキャンセルされて呼出信号の送信を終了する。
【００３３】
但し、第２子機１ｂとＩＰ電話機３ａが通話中の状態で第１子機１ａから呼び出しが発生したら、ＩＰ電話機３ｂは待受状態にあるため、第１子機１ａからの呼び出しを受けて呼出音の鳴動が実施され、例えば第２ＩＰ電話機３ｂから応答操作が成されたら、第２ＩＰ電話機３ｂと第１子機１ａとの間で通話路が形成される。
【００３４】
このように、子機１が出力するＳＩＰに準拠した呼出信号により通信を実施できるＩＰ電話機３が接続された場合はＩＰ−ＰＢＸが無くとも良い。そして、ＩＰ電話機３が接続されても親機２に対する呼出信号には特定の情報を附加して送信するため、インターホンに特有の機能を維持できる。
【００３５】
尚、上記実施形態では、子機１を２台、親機２を１台、ＩＰ電話機を２台として説明したが、子機１は更に多数でも良いし親機２及びＩＰ電話機３もそれぞれ複数設置できる。親機２及びＩＰ電話機３は少なくとも１台設置されれば本願発明は良好に機能する。
【符号の説明】
【００３６】
１・・インターホン子機、２・・インターホン親機、３・・ＩＰ電話機、４・・ＩＰ−ＰＢＸ、５・・通信ネットワーク、１１・・呼出ボタン、１６・・子機ＣＰＵ（呼出制御部）、１５・・記憶部、２５・・親機ＣＰＵ（呼出信号受信部）、３５・・電話機ＣＰＵ。
【図１】
2014230256.tif 000003
【図２】
2014230256.tif 000004